(57)【要約】【課題】  被掃除面から流入されるごみ等から遮断されるよう紫外線殺菌ランプが設置された吸入ブラシ及びその製造方法を提供すること。【解決手段】  紫外線殺菌ランプを備えた吸入ブラシは、被掃除面に向けて開放された透過窓と、透過窓の内側空間部に設置されて、被掃除面に向けて紫外線を照射する紫外線殺菌ランプと、透過窓の内側空間部を覆うように結合されるテフロン窓部材とを備え、吸入ブラシの製造方法は、吸入ブラシの被掃除面に向けて開放された透過窓の内側空間部に紫外線殺菌ランプを設置するステップと、透過窓の周縁に形成された複数の結合突起に、対応する形状の結合孔を有するテフロン窓部材を嵌め込むステップと、透過窓の内側空間部が空気の疎通可能に窓部材の結合位置を設定するステップと、結合位置で前記結合孔を通過した結合突起の終端を高温／高圧で圧着することによって、窓部材を固定するステップとを含むことを特徴とする。【選択図】      図３
2006231031.tif 000002
【特許請求の範囲】
【請求項１】
被掃除面に向けて開放された透過窓と、
前記透過窓の内側空間部に設置されて、被掃除面に向けて紫外線を照射する紫外線殺菌ランプと、
前記透過窓の内側空間部を覆うように結合される四フッ化エチレン樹脂窓部材と、
を備えることを特徴とする紫外線殺菌ランプが設置された吸入ブラシ。
【請求項２】
前記四フッ化エチレン樹脂窓部材は、前記内側空間部が外部と空気の疎通可能に、前記透過窓から所定の間隔だけ離れた位置で結合されたことを特徴とする請求項１に記載の紫外線殺菌ランプが設置された吸入ブラシ。
【請求項３】
前記内側空間部には、前記紫外線殺菌ランプから発生した紫外線を被掃除面に集中させる反射面が形成されたことを特徴とする請求項１に記載の紫外線殺菌ランプが設置された吸入ブラシ。
【請求項４】
前記反射面は、被掃除面に向けて広がる山形状に形成されたことを特徴とする請求項３に記載の紫外線殺菌ランプが設置された吸入ブラシ。
【請求項５】
前記反射面は、アルミニウムテープを付着して形成されたことを特徴とする請求項３または請求項４に記載の紫外線殺菌ランプが設置された吸入ブラシ。
【請求項６】
前記透過窓の周縁には複数の結合突起が突出形成され、四フッ化エチレン樹脂窓部材には、前記複数の結合突起と対応する結合孔が形成されたことを特徴とする請求項１に記載の紫外線殺菌ランプが設置された吸入ブラシ。
【請求項７】
前記複数の結合突起は、単一列で配置された円筒形結合突起であることを特徴とする請求項６に記載の紫外線殺菌ランプが設置された吸入ブラシ。
【請求項８】
前記複数の結合突起は複数列で構成され、対面している面が互いに交差するように配置された角柱型結合突起であることを特徴とする請求項６に記載の紫外線殺菌ランプが設置された吸入ブラシ。
【請求項９】
吸入ブラシの被掃除面に向けて開放された透過窓の内側空間部に紫外線殺菌ランプを設置するステップと、
前記透過窓の周縁に形成された複数の結合突起に、前記複数の結合突起と対応する形状の結合孔を有する四フッ化エチレン樹脂窓部材を嵌め込むステップと、
前記透過窓の内側空間部が空気の疎通可能に、四フッ化エチレン樹脂窓部材の結合位置を設定するステップと、
前記結合位置で前記結合孔を通過した複数の結合突起の終端を高温／高圧で圧着することによって、前記四フッ化エチレン樹脂窓部材を固定するステップと、
を含むことを特徴とする紫外線殺菌ランプが設置された吸入ブラシの製造方法。
【発明の詳細な説明】
【技術分野】
【０００１】
本発明は、真空掃除機に関し、より詳しくは、被掃除面を殺菌できる紫外線殺菌装置を備えた真空掃除機の吸入ブラシ及びその製造方法に関する。
【背景技術】
【０００２】
一般に、真空掃除機は、掃除機本体に設置された真空吸入手段により発生した負圧を利用して、被掃除面のごみ等を周辺の空気と共に吸入及び捕集する。ところが、最近では健康に対する関心が高まることにより、単にごみ等を捕集することのみならず被掃除面の細菌も殺菌することができる、吸入ブラシに紫外線殺菌装置を備えた真空掃除機が開発されている。一例に、韓国公開実用新案実２００１-０００１３４５号は、紫外線殺菌装置が備えられた真空掃除機の吸入ブラシを開示したものであって、被掃除面からごみ等が含まれた空気が吸入されるホコリ吸入孔が形成された下部ケースに紫外線殺菌ランプが設置された構造が開示されている。
【０００３】
ところが、紫外線殺菌ランプから照射される紫外線は、進行経路上に障害物がある場合、これを通過できない。したがって、紫外線殺菌ランプから生成された紫外線の損失を最大限減らした状態で被掃除面に照射するためには、透過窓を開放された状態にするか、体積が大きなごみ等などにより紫外線殺菌ランプが損傷されることを防止するグリルを該透過窓に設置する。
【０００４】
しかし、このように紫外線殺菌ランプが露出された状態に設置すれば、装置の使用期間の増加にともなって、外部ホコリなどにより紫外線殺菌ランプの表面が汚れ、破損の恐れもある。特に、紫外線殺菌ランプ表面が汚れると、紫外線殺菌ランプから発生した紫外線の一部は、表面に吸着された汚れにより遮断されて被掃除面に伝達されない。したがって、このような紫外線殺菌ランプの汚れを防止するため、紫外線透過効率の良い石英ガラスのような物質で透過窓を密閉する方法が提案された。
【０００５】
しかし、石英ガラスを利用して透過窓を密閉すれば、被掃除面から流入される汚れを遮断できるという長所はあるが、紫外線殺菌ランプから発生する熱が外部に排出できないため、紫外線殺菌ランプが過熱される恐れがあり、また石英ガラスの強度が高くないため、破損の恐れがある。
【特許文献１】韓国公開実用新案実２００１-０００１３４５号
【発明の開示】
【発明が解決しようとする課題】
【０００６】
本発明は、上述した従来の問題点を解決するためになされたものであって、その目的は、被掃除面から流入される汚れから遮断されるよう紫外線殺菌ランプが設置された吸入ブラシ及びその製造方法を提供することである。
【０００７】
本発明の他の目的は、紫外線殺菌ランプの過熱を解消できるように、紫外線殺菌ランプの設置構造が改善された吸入ブラシ及びその製造方法を提供することである。
【課題を解決するための手段】
【０００８】
前記目的を達成するため本発明に係る紫外線殺菌ランプを備えた吸入ブラシは、被掃除面に向けて開放された透過窓と、前記透過窓の内側空間部に設置されて被掃除面に向けて紫外線を照射する紫外線殺菌ランプと、前記透過窓の内側空間部を覆うように結合されるテフロン（イー  アイ  デュポン  ドゥ  ヌムール  アンド  カンパニーの登録商標）窓部材とを備えることを特徴とする。
【０００９】
本発明の好適な実施形態によると、前記テフロン窓部材は、前記内側空間部が外部と空気の疎通可能に、前記透過窓から所定の間隔だけ離れた位置で結合されることが良い。
【００１０】
また、前記内側空間部には、前記紫外線殺菌ランプから発生した紫外線を被掃除面に集中させる反射面が形成される。
【００１１】
この場合、前記反射面は、被掃除面に向けて広がる山形状に形成され、アルミニウムテープを付着して形成されることが良い。
【００１２】
テフロン窓部材は、透明材質で形成されることが良い。
【００１３】
一方、前記透過窓の周縁には複数の結合突起が突出形成され、テフロン窓部材には前記複数の結合突起と対応する結合孔が形成されるが、前記複数の結合突起は、単一列で配置された円筒形結合突起で形成されることもでき、複数列で構成され、対面している面が互いに交差するように配置された角柱型結合突起で形成されることもできる。
【００１４】
本発明に係る紫外線殺菌ランプが設置された吸入ブラシの製造方法は、吸入ブラシの被掃除面に向けて開放された透過窓の内側空間部に紫外線殺菌ランプを設置するステップと、前記透過窓の周縁に形成された複数の結合突起に、前記複数の結合突起と対応する形状の結合孔を有するテフロン窓部材を嵌め込むステップと、前記透過窓の内側空間部が空気の疎通可能にテフロン窓部材の結合位置を設定するステップと、前記結合位置で前記結合孔を通過した複数の結合突起の終端を高温／高圧で圧着することによって、前記テフロン窓部材を固定するステップとを含むことを特徴とする。
【発明の効果】
【００１５】
本発明によれば、被掃除面のごみ等または障害物などに対して紫外線殺菌ランプを保護する窓部材を、紫外線殺菌ランプが設置される透過窓に空気の疎通可能な構造で結合するため、この疎通される空気により紫外線殺菌ランプから発生する熱を排出でき、これにより紫外線殺菌ランプが過熱されることを防止できる。
【００１６】
また、紫外線透過率が高くかつ高強度の透明テフロン樹脂で窓部材を形成するため、従来用いられた石英を利用した透過窓に比べて製品信頼性の高い窓部材を提供することが可能な効果を奏する。
【発明を実施するための最良の形態】
【００１７】
以下、本発明の好適な実施形態をアップライト掃除機を一例にとって説明する。
【００１８】
図１に示すように、アップライト掃除機は、掃除機本体１０に被掃除面に沿って移動しながらごみ等が含まれた空気を吸入する吸入ブラシ２０が結合される。掃除機本体１０には、吸入ブラシ２０から吸入されたごみ等が空気から分離され捕集される集塵装置３０が着脱自在に設置される。
【００１９】
図２に示すように、吸入ブラシ２０には被掃除面に向けて開放された透過窓２１が形成され、この透過窓２１の内側空間部２３には紫外線が発生される紫外線殺菌ランプ４０が設置される。
【００２０】
図３及び図４に示すように、本発明の第１実施形態によれば、内側空間部２３には、発生された紫外線を被掃除面に向けて集中させることができるよう反射面２５が形成される。該反射面２５は、被掃除面に向ける方向に広がる山形状に形成され、紫外線殺菌ランプ４０から発生した紫外線を最大限集めて被掃除面に広く分散させる。反射面２５は、反射率に優れた材質から形成されることが良いが、好ましくは、アルミニウムテープを内側空間部２３の壁面に付着し形成することが良い。
【００２１】
また、透過窓２１には、透明なテフロン窓部材５０が所定の間隔ｇだけ離れた状態で結合されて、内側空間部２３に設置される紫外線ランプ４０が外部ホコリにより汚れることを防止する。紫外線透過性に優れたテフロン樹脂の物理的特性上、テフロン窓部材５０が必ず透明に形成される必要はない。しかし、ユーザが肉眼で紫外線殺菌ランプ４０の状態が確認できるように、透明部材で形成されることが好ましい。 図４に示すように、テフロン窓部材５０は、単一列に配置された円筒形結合突起２２ａにより固定される。
【００２２】
図５及び図６は、本発明の第２実施形態を示したものであって、基本的な構成は上述した第１実施形態と同一である。すなわち、内側空間部２３には、紫外線殺菌ランプ４０が設置され、透過窓２１には、透明なテフロン窓部材５０が所定の間隔ｇだけ離れた状態で結合されて、内側空間部２３に設置される紫外線ランプ４０の汚れを防止する。第２実施形態が第１実施形態と異なる点は、透過窓２１の周縁に突出形成された結合突起の形状にある。すなわち、同図に示すように、該結合突起は複数列で構成され、対面している面が互いに交差するように配置された角柱型結合突起２２ｂから形成される。この場合、上述した第１実施形態に比べて、透過窓２１とテフロン窓部材５０との間の結合がより強くなる。
【００２３】
なお、本発明の第１及び第２実施形態に示す結合突起２２ａ、２２ｂは、吸入ブラシ２０から延長形成される。すなわち、吸入ブラシ２０を射出成形する時、金型上で一体に形成し構成することが良い。
【００２４】
以下、本発明に係る紫外線殺菌ランプを備えた吸入ブラシの製造方法を図７のように示したフローチャート及び図８〜図１０に基づいて説明する。因みに、テフロン窓部材５０を吸入ブラシに結合する方法は、第１及び第２実施形態に同一に適用されるので、その結合方法は第１実施形態を引用して説明する。
【００２５】
図３及び図４に示すように、吸入ブラシ２０の底面には吸入ブラシ２０の被掃除面に向けて開放された透過窓２１を構成し、その内側空間部２３には、紫外線殺菌ランプを設置する(Ｓ１０)。
【００２６】
一方、図８に示すように、透過窓２１の周縁には複数の結合突起２２ａが突出形成され、この透過窓２１を覆うテフロン窓部材５０には、結合突起２２ａと対応する形状の結合孔５１が形成され、これら各々を互いに嵌め込んで、テフロン窓部材５０が透過窓２１を覆うよう結合する(Ｓ２０)。
【００２７】
このとき、図３及び図９に示すように、透過窓２１から所定の間隔ｇだけ離れた位置にテフロン窓部材５０の結合位置を設定することにより、内側空間部２３から発生した熱が排出される。テフロン窓部材５０と透過窓２１との間隔ｇは、１ｍｍ前後で離隔されることが好ましい(Ｓ３０)。
【００２８】
このように結合位置を設定すると、図１０に示すように、結合位置で結合孔５１を通過した複数の結合突起２２ａの終端が高温／高圧で圧着され、テフロン窓部材５０の離脱が防止される。このような結合方法を使用する理由は、テフロン材質自体が有する物理的な特性上、他の材質との親和性が悪くて接着などが困難であるためである(Ｓ４０)。
【００２９】
一方、説明を省略したが、第２実施形態の場合にも、結合突起２２ｂの形状及び配列において差があるだけで、結合後に結合孔５１を通過した結合突起２２ｂの終端を高温／高圧で圧着することにより、テフロン窓部材５０を前記結合位置に固定するという点は同一である。  
【００３０】
以上のように透明テフロン窓部材５０を利用すれば、従来の石英ガラスを利用した窓部材に比べて衝撃などに対する製品信頼性を向上させることができる。また、紫外線殺菌ランプ４０が設置された内側空間部２３が完全に密閉されないので、紫外線殺菌ランプ４０から発生した熱が外部に排出できて、紫外線殺菌ランプ４０の過熱による装置故障を防止できる。
【００３１】
以上では、本発明の原理を例示するために本発明の好適な実施形態について図示し説明したが、本発明は上述した特定の実施形態に限定されるものではなく、特許請求の範囲で請求している本発明の要旨を逸脱することなく、本発明に対する種々の変更及び修正が可能であることは当業者であれば理解できることであろう。よって、そのような変更及び修正は本発明の特許請求の範囲に含まれるものと見なすべきである。
【図面の簡単な説明】
【００３２】
【図１】アップライト型真空掃除機を示す斜視図である。
【図２】本発明に係る紫外線殺菌ランプを備えた吸入ブラシの底面図である。
【図３】本発明の第１実施形態によるテフロン窓部材の結合構造を示す図である。
【図４】図２の要部拡大図であって、本発明の第１実施形態によるテフロン窓部材の結合構造を示す図である。
【図５】本発明の第２実施形態によるテフロン窓部材の結合構造を示す図である。
【図６】本発明の第２実施形態によるテフロン窓部材の結合構造を示す図である。
【図７】本発明に係る吸入ブラシ製造方法を示すフローチャートである。
【図８】図４の要部拡大図であって、テフロン窓部材を結合する過程を示す図である。
【図９】図４の要部拡大図であって、テフロン窓部材を結合する過程を示す図である。
【図１０】図４の要部拡大図であって、テフロン窓部材を結合する過程を示す図である。
【符号の説明】
【００３３】
１０      掃除機本体
２０      吸入ブラシ
２２ａ、２２ｂ  結合突起
２３      内側空間部
３０      集塵装置
４０      紫外線殺菌ランプ
５０      テフロン窓部材
【図１】
2006231031.tif 000003
【図２】
2006231031.tif 000004
【図３】
2006231031.tif 000005
【図４】
2006231031.tif 000006
【図５】
2006231031.tif 000007
【図６】
2006231031.tif 000008
【図７】
2006231031.tif 000009
【図８】
2006231031.tif 000010
【図９】
2006231031.tif 000011
【図１０】
2006231031.tif 000012